(57)【要約】【課題】スペーサ近傍での表示の乱れを低減できる表示装置を提供する。【解決手段】表示パネル１０は、フェースプレートＦＰとリアプレートＲＰとの間に、走査線とほぼ平行に配設されたスペーサＳＰを備える。リアプレートＲＰとフェースプレートＦＰの温度を温度センサ１６，１７で検出し、マイコン４２で互いの温度差を求める。そして、マイコン４２は、リアプレートＲＰとフェースプレートＦＰの温度差に応じて第１走査線（Ｙ５，Ｙ６，Ｙ１０等）へ供給する走査線信号を可変するよう走査線ドライバ３１を制御する。これにより、スペーサＳＰの近傍での表示画素Ｐｘの輝度の乱れをなくすようにできる。【選択図】図１
2006106144.tif 000002
【特許請求の範囲】
【請求項１】
第１基板と、この第１基板に対向して配置され、複数の信号線および走査線をマトリクス状に配置した第２基板と、前記第１基板と第２基板間に、前記走査線とほぼ平行に配設されたスペーサとを備えた表示部と、
前記第１基板と前記第２基板との温度差を検知する温度差検知手段と、
複数の走査線のうち前記スペーサ近傍に配置された第１走査線と、前記スペーサから第１走査線を隔てて配置された第２走査線にそれぞれ走査線信号を供給することで前記表示部を表示させる走査線駆動部と、
前記第１基板と前記第２基板との温度差に応じて前記第１走査線へ供給する走査線信号を可変するための補正情報を記憶した温度差補正情報記憶手段と、
前記温度差検知手段により検出された前記第１基板と前記第２基板との温度差に応じて前記温度差補正情報記憶手段の補正情報を基に前記第１走査線へ走査線信号を供給するよう前記走査線駆動部を制御する制御部と
を具備することを特徴とする表示装置。
【請求項２】
前記温度差補正情報記憶手段には、
前記走査線駆動部に対して、温度差が拡大するにつれて前記信号線に印加される駆動信号との電位差を大きくする方向に前記第１走査線の走査線信号を可変させるための補正情報が記憶されていることを特徴とする請求項１記載の表示装置。
【請求項３】
第１基板と、この第１基板に対向して配置され、複数の信号線および走査線をマトリクス状に配置した第２基板と、前記第１基板と第２基板間に、前記走査線とほぼ平行に配設されたスペーサとを備えた表示部と、
前記第１基板と前記第２基板との温度差を検知する温度差検知手段と、
複数の走査線のうち前記スペーサ近傍に配置された第１走査線と、前記スペーサから第１走査線を隔てて配置された第２走査線にそれぞれ走査線信号を供給することで前記表示部を表示させる走査線駆動部と、
前記温度差検知手段により検出された前記第１基板と前記第２基板との温度差に応じて前記第１走査線へ供給する走査線信号の電圧を可変するよう前記走査線駆動部を制御する制御部と
を具備することを特徴とする表示装置。
【請求項４】
前記制御部は、
前記第１基板と前記第２基板との温度差が、予め設定された許容範囲を超えた場合に、前記第１走査線へ供給する走査線信号の電圧を可変するよう前記走査線駆動部を制御することを特徴とする請求項３記載の表示装置。
【請求項５】
前記制御部は、
前記走査線駆動部に対して、温度差が拡大するにつれて前記信号線に印加される駆動信号との電位差を大きくする方向に前記第１走査線の走査線信号を可変させることを特徴とする請求項３記載の表示装置。
【発明の詳細な説明】
【技術分野】
【０００１】
本発明は、フィールド・エミッション・ディスプレイ等の基板間にスペーサが配置される表示装置に関する。
【背景技術】
【０００２】
２つの基板間に電子放出素子(以下電子源と称す)と蛍光体とを配列し、電子源から放出される電子によって蛍光体を発光させて表示を行うフィールド・エミッション・ディスプレイの開発が進められている（特許文献１参照）。
フィールド・エミッション・ディスプレイを動作させるためには、基板間を減圧する必要がある。このため、大気圧に対抗すべくスペーサが基板間に配置され、基板間の距離を保持している。
【特許文献１】特開２０００−３１１６０７号公報
【発明の開示】
【発明が解決しようとする課題】
【０００３】
しかしながら、スペーサの帯電等によって、スペーサ近傍に表示の乱れが生じる可能性がある。
本発明はこのような課題を解決するためになされたもので、スペーサ近傍での表示の乱れを低減できる表示装置を提供することを目的とする。
【課題を解決するための手段】
【０００４】
上記した目的を達成するために、本発明の表示装置は、第１基板と、この第１基板に対向して配置され、複数の信号線および走査線をマトリクス状に配置した第２基板と、前記第１基板と第２基板間に、前記走査線とほぼ平行に配設されたスペーサとを備えた表示部と、前記第１基板と前記第２基板との温度差を検知する温度差検知手段と、複数の走査線のうち前記スペーサ近傍に配置された第１走査線と、前記スペーサから第１走査線を隔てて配置された第２走査線にそれぞれ走査線信号を供給することで前記表示部を表示させる走査線駆動部と、前記第１基板と前記第２基板との温度差に応じて前記第１走査線へ供給する走査線信号を可変するための補正情報を記憶した温度差補正情報記憶手段と、前記温度差検知手段により検出された前記第１基板と前記第２基板との温度差に応じて前記温度差補正情報記憶手段の補正情報を基に前記第１走査線へ走査線信号を供給するよう前記走査線駆動部を制御する制御部とを具備することを特徴とする。
【０００５】
本発明の表示装置は、第１基板と、この第１基板に対向して配置され、複数の信号線および走査線をマトリクス状に配置した第２基板と、前記第１基板と第２基板間に、前記走査線とほぼ平行に配設されたスペーサとを備えた表示部と、前記第１基板と前記第２基板との温度差を検知する温度差検知手段と、複数の走査線のうち前記スペーサ近傍に配置された第１走査線と、前記スペーサから第１走査線を隔てて配置された第２走査線にそれぞれ走査線信号を供給することで前記表示部を表示させる走査線駆動部と、前記温度差検知手段により検出された前記第１基板と前記第２基板との温度差に応じて前記第１走査線へ供給する走査線信号の電圧を可変するよう前記走査線駆動部を制御する制御部とを具備することを特徴とする。
【発明の効果】
【０００６】
本発明によれば、スペーサ近傍での表示の乱れを低減できる表示装置を提供できる。
【発明を実施するための最良の形態】
【０００７】
以下、図面を参照して、本発明の実施の形態を詳細に説明する。
図１は本発明の一実施形態に係る表示装置Ｄを表す図である。
本発明に係る表示装置Ｄは、表示パネル１０、信号線ドライバ２０、走査線ドライバ３０、映像信号処理回路４０、タイミング発生回路６０を備える。
【０００８】
入力回路５０には、映像信号および同期信号が入力され、映像信号処理回路４０およびタイミング発生回路６０それぞれに分離して出力される。映像信号処理回路４０は、入力回路５０から入力される、ある階調値のデジタル信号を補正して信号線ドライバ２０に出力する。タイミング発生回路６０は、入力回路５０から入力される同期信号に基づく動作タイミングを走査線ドライバ３０、映像信号処理回路４０、信号線ドライバ２０に出力する。
【０００９】
信号線ドライバ２０は、映像信号処理回路４０から入力される映像信号を駆動信号に変換して表示パネル１０に出力する。走査線ドライバ３０は、タイミング発生回路６０から入力される動作タイミングを走査線信号に変換して表示パネル１０に出力する。表示パネル１０は、信号線ドライバ２０および走査線ドライバ３０から入力される駆動信号および走査線信号に基づき画像を表示する。
【００１０】
図２は表示パネル１０を上面から見た状態を模式的に表す上面図、図３は表示パネル１０を横方向から見た状態を表す側面図である。
図２，図３に示すように、この表示パネル１０は、光を透過する透明基板（第１の基板）としてのフェースプレートＦＰ、走査線Ｙおよび信号線Ｘ等の信号配線が形成された電子源基板（第２の基板）としてのリアプレートＲＰ、側壁Ｗ、スペーサＳＰ、表示画素Ｐｘ、温度センサ１６，１７等を有している。
【００１１】
フェースプレートＦＰ、リアプレートＲＰは、側壁Ｗと共に、真空容器を構成する。すなわち、フェースプレートＦＰ、リアプレートＲＰ、側壁Ｗで形成される空間（真空容器内部）は、表示パネル１０の動作のために減圧され、高真空状態となっている。
スペーサＳＰは、フェースプレートＦＰ、リアプレートＲＰの間隔を保つためのものである。フェースプレートＦＰ、リアプレートＲＰの間は、減圧されているために、大気圧による力が印加され、これらの中央が側壁Ｗの近傍に比べて間隔が小さくなる可能性がある。そこで、スペーサＳＰは、横方向に細長い略長方形の底面を有する柱状形状をしており、走査線Ｙに対してほぼ平行に所定の間隔をおいて配置されている。
【００１２】
リアプレートＲＰ上には、Ｘ軸方向（図面では縦方向）に複数の信号線Ｘが配置され、これら信号線Ｘと直交する方向、つまりＹ軸方向に走査線Ｙが配置されている。つまり、信号線Ｘと走査線Ｙは交差するようにマトリクス状に配置される。ｍ（＝７２０）本の走査線Ｙ（Ｙ１〜Ｙｍ）が、横（水平）方向に伸びている。ｎ（＝１２８０×３）本の信号線Ｘ（Ｘ１〜Ｘｎ）が、これら走査線Ｙ１〜Ｙｍに交差して、縦（垂直）方向に伸びている。
これら走査線Ｙ１〜Ｙｍ及び信号線Ｘ１〜Ｘｎの交差位置近傍には、ｍ×ｎ（＝約２７６万）個の表示画素Ｐｘが配置される。
【００１３】
温度センサ１６は、フェースプレートＦＰの面に設けられており、フェースプレートＦＰ自体の温度を検知する。温度センサ１７は、リアプレートＲＰの面に設けられており、リアプレートＲＰ自体の温度を検知する。これら温度センサ１６，１７は、例えばサーミスタ等である。これら温度センサ１６，１７により検知された温度信号は、マイコン４２へ入力され、マイコン４２において、互いの温度差が算出される。つまり、温度センサ１６，１７およびマイコン４２で温度差検出手段が構成されている。なお、温度差検出手段としては、熱電対、白金測温抵抗体等も利用できる。
マイコン４２は、検出されたフェースプレートＦＰとリアプレートＲＰとの温度差に応じて、スペーサＳＰ近傍の走査線へ供給する走査線信号の電圧を可変するよう走査線ドライバ３０を制御する制御部として機能する。
【００１４】
表示画素Ｐｘは、電子源としての電子放出素子１１および蛍光体１２から生成される。電子放出素子１１は、リアプレートＲＰ上にマトリクス状に配置された複数の信号線Ｘおよび走査線Ｙの交差部分に配置され、対応する走査線Ｙ、信号線Ｘにより駆動されて、電子を放出する。
蛍光体１２は、フェースプレートＦＰの電子放出素子１１と対向する面に配置されており、電子放出素子１１から放出される電子ビームにより発光する。この蛍光体２は、赤（Ｒ）、緑（Ｇ）、及び青（Ｂ）いずれかの表示色で発光する。すなわち、表示画素Ｐｘは、赤（Ｒ）、緑（Ｇ）、及び青（Ｂ）の表示色のいずれかに対応する。
赤（Ｒ）、緑（Ｇ）、及び青（Ｂ）の表示画素Ｐｘは、それぞれ縦方向（Ｘ方向）に配置される。ここで、水平方向に配置され、隣接する３つの赤（Ｒ）、緑（Ｇ）、及び青（Ｂ）の表示画素Ｐｘを、纏めて１つのカラー画素と考えることができる。これら赤（Ｒ）、緑（Ｇ）、及び青（Ｂ）の表示画素Ｐｘを制御することで、フルカラーの表示が可能となる。
【００１５】
表示画素Ｐｘは、図２に示すように、スペーサＳＰの間に配置されている。なお、図２では、判りやすさのために、縦方向に配置されるスペーサＳＰ間に５つの表示画素Ｐｘが配置されることとしているが、これは絶対的なものでない。スペーサＳＰ間により多い個数の表示画素Ｐｘが配置されてもよい。また、スペーサＳＰ間に配置される表示画素Ｐｘの個数が一定でなくても差し支えない。
【００１６】
すなわち、この表示パネル１０は、一方の面に蛍光体１２が配置されたフェースプレートＦＰと、このフェースプレートＦＰの蛍光体１２が配置された面と対向して配置され、複数の信号線Ｘおよび走査線ＹをＸ軸方向およびＹ軸方向にマトリクス状に配置し、互いの交差部分に蛍光体１２へ電子を放出する電子放出素子１１を形成したリアプレートＲＰと、フェースプレートＦＰとリアプレートＲＰ間に、Ｙ軸方向に形成された走査線Ｙとほぼ平行に配設されたスペーサＳＰとを備えている。
【００１７】
ここで、スペーサＳＰの近傍では、表示パネル１０での表示に乱れが生じる。スペーサＳＰに最も近い表示画素（再近接表示画素）Ｐｘ、図２では走査線Ｙ５，Ｙ６，Ｙ１０、Ｙ１１等に対応する表示画素Ｐｘ、が本来の輝度より暗くなる傾向にある。また、再近接表示画素ＰｘよりスペーサＳＰから遠い表示画素（近接表示画素）Ｐｘ、図２では走査線Ｙ４，Ｙ７，Ｙ９等に対応する表示画素Ｐｘ、が本来の輝度より明るくなる傾向になる。これらよりスペーサＳＰから離れた表示画素Ｐｘは、本来の輝度で発光する。
表示パネル１０上の領域を、スペーサＳＰからの距離に応じて、最近接領域、近接領域、通常領域と区分すると、低輝度、高輝度、通常輝度となり、スペーサＳＰの近傍に明暗の縞が形成されることになる。このような縞の発生は、表示パネル１０上の表示の乱れとなり、好ましくない。
なお、上記の説明では、これらの領域に含まれる表示画素Ｐｘを１個として説明したが、これらの領域に含まれる表示画素Ｐｘが複数個であってもよく、低輝度、高輝度の領域の間にこれらの中間的な輝度の表示画素Ｐｘがあっても差し支えない。
【００１８】
スペーサＳＰ近傍での明暗の発生は、スペーサＳＰの帯電によって説明可能である。
スペーサＳＰの近傍の電子放出素子１１から発せられた電子の一部がスペーサＳＰに衝突することで、あるいは放出電子の作用で気体等がイオン化されたイオンがスペーサＳＰに付着することで、スペーサＳＰが帯電する可能性がある。さらには、フェースプレートＦＰに到達した電子が一部反射、散乱され、その一部がスペーサＳＰに衝突することでスペーサＳＰが帯電する可能性がある。
【００１９】
スペーサＳＰが帯電すると、電子放出素子１１から蛍光体１２へと向かう電子の軌道に影響を与える。例えば、スペーサＳＰが負に帯電するとスペーサＳＰ近傍を飛翔する電子がスペーサから離れることになる。この結果、スペーサＳＰの最近傍の蛍光体１２に到達する電子の個数が減少し、この最近傍の蛍光体１２よりスペーサＳＰから離れた蛍光体１２に到達する電子の個数が増加する。この結果、スペーサＳＰに対して、最近傍領域の表示画素Ｐｘは低輝度、近傍領域の表示画素Ｐｘは高輝度となる。
スペーサＳＰの帯電を抑制するために、スペーサＳＰの表面に導電性を付与し、帯電された電荷を除去することが考えられるが、スペーサＳＰ近傍での輝度の乱れを完全に排除することは困難であり、何らかの手段で輝度を補正することが好ましい。
【００２０】
さらに、スペーサＳＰ近傍での表示画素Ｐｘの乱れは、フェースプレートＦＰとリアプレートＲＰ間の温度差の影響でも発生することが判明した。
図４は、フェースプレートＦＰとリアプレートＲＰ間の温度差（ＦＰ−ＲＰ）と電子が蛍光体１２に当たる位置との相対関係を示す温度特性図である。
この温度特性図において、横軸がフェースプレートＦＰとリアプレートＲＰ間の温度差（ＦＰ−ＲＰ）、縦軸が電子が蛍光体１２に当たる位置を示したものである。
この温度特性図は、温度差の基準値、例えば温度差のない０Ｃ°等を基準として、フェースプレートＦＰとリアプレートＲＰ間の温度差の変化で、電子ビームが蛍光体１２に当たる位置が変わる蛍光を示すものであり、温度差が拡大するにつれて、蛍光体１２に電子が当たる基準位置からのずれが大きくなることが判る。なお、温度差の基準値は、０Ｃ°として説明したが、これは一例にしか過ぎず、０Ｃ°以外の温度差、例えば＋５Ｃ°等を基準値としても良い。
【００２１】
このような温度特性では、スペーサＳＰに一番近い表示画素Ｐｘを構成する走査線Ｙ、つまりスペーサＳＰの直近にほぼ平行に配置された走査線Ｙ５，Ｙ６，Ｙ１０，Ｙ１１などが暗くなり、その隣に位置する走査線Ｙ４，Ｙ７，Ｙ９等が明るくなる傾向にある。これは、例えばスペーサＳＰの直近に位置する電子放出素子１１から放出された電子が、温度差が大きくなるにつれて曲がり、対応する蛍光体１２に当たる数が減り、その隣の蛍光体１２に当たる数が増えるため、ということが考えられる。また、温度差に起因する放電スペース内の微細な形状変等化も考えられる。
このため、フェースプレートＦＰとリアプレートＲＰ間に温度差が生じない工夫か、あるいは温度差の変化に伴ってスペーサＳＰ近傍で生じる表示画素Ｐｘの輝度の乱れを、何らかの手段により排除あるいは補正することが好ましい。
【００２２】
信号線ドライバ２０、走査線ドライバ３０、映像信号処理回路４０、入力回路５０、及びタイミング発生回路６０は、表示パネル１０の駆動回路として用いられ、表示パネル１０の周囲に配置されている。信号線ドライバ２０は、信号線Ｘ１〜Ｘｎに接続され、走査線ドライバ３０は、走査線Ｙ１〜Ｙｍに接続される。
入力回路５０は、外部の信号源から供給されるアナログＲＧＢ映像信号及び同期信号を入力し、映像信号を映像信号処理回路４０に供給し、同期信号をタイミング発生回路６０に供給する。
映像信号処理回路４０は、入力回路５０からの映像信号に対して信号処理を行う。
タイミング発生回路６０は、同期信号に基づいて信号線ドライバ２０、走査線ドライバ３０及び映像信号処理回路４０の動作のタイミングをとる。
【００２３】
映像信号処理回路４０は、ＡＤ変換回路４１、マイコン４２，補正テーブル４３，乗算器４４，変換部４５，変換テーブル４６を有する。
ＡＤ変換回路４１は、水平同期信号に同期して入力回路５０から供給されるアナログＲＧＢ映像信号をデジタル形式に変換する。ＡＤ変換回路４１では、アナログＲＧＢ映像信号が各表示画素Ｐｘについて、例えば１０２４階調が表示可能な１０ビット階調データに変換される。
【００２４】
マイコン４２は、温度センサ１６，１７からの温度信号を受信し、互いの温度差を算出し、フェースプレートＦＰとリアプレートＲＰとの温度差が検知されたときに、補正テーブル４３を参照して、温度差に応じた補正情報（数値）を読み出し、この補正情報（数値）に基づいて、表示画素Ｐｘの輝度を補正するための走査電圧制御信号Ｖｃ１〜Ｖｃ３のうち少なくとも電圧制御信号Ｖｃ３を走査電圧制御端子Ｖｙｏｎへ出力し走査線ドライバ３０を制御して該当表示画素Ｐｘの輝度を補正する。
【００２５】
走査線ドライバ３０は、シフトレジスタ３１、出力バッファアンプ３２を含む。
シフトレジスタ３１は、垂直同期信号を１水平走査期間毎にシフトしてｍ個の出力端の１つから出力する。出力バッファアンプ３２は、シフトレジスタ３１のｍ個の出力端からのパルスにそれぞれ応答して走査線信号を走査線Ｙ１〜Ｙｍへ出力する。
走査線ドライバ３０は、走査電圧制御端子Ｖｙｏｎから入力される走査電圧制御信号Ｖｃ１〜Ｖｃ３に従って走査線信号を１水平走査期間だけ走査線Ｙ１〜Ｙｍへ出力する。走査線信号は、負（マイナス：−）の矩形波電圧である。
【００２６】
スペーサＳＰの位置を基準とした場合、複数の走査線Ｙ１〜Ｙｍは、スペーサＳＰに最も近い位置に配置された第１走査線群（Ｙ５，Ｙ６、Ｙ１０，Ｙ１１、…Ｙｍ−５，Ｙｍ−４）と、スペーサＳＰから第１走査線を隔てた位置に配置された第２走査線群（Ｙ１〜Ｙ４、Ｙ７〜Ｙ９，Ｙ１２〜…、Ｙｍ−３〜Ｙｍ）とに区分できる。
【００２７】
フェースプレートＦＰとリアプレートＲＰ間の温度差の変化の影響を顕著に受けるのは、スペーサＳＰに最も近い位置に配置された第１走査線群（Ｙ５，Ｙ６、Ｙ１０，Ｙ１１、…Ｙｍ−５，Ｙｍ−４）であり、温度差が発生した際には、第２走査線群（Ｙ１〜Ｙ４、Ｙ７〜Ｙ９，Ｙ１２〜…、Ｙｍ−３〜Ｙｍ）とは別に駆動制御する必要がある。
【００２８】
そこで、この表示装置Ｄには、温度差発生時に第１走査線群へ供給する走査線信号の電圧を補正するための補正テーブル４３（図５参照）が設けられている。この補正テーブル４３は、マイコン４２での輝度補正制御のために用いられるテーブルであり、ここに設定されているのは、走査線信号の電圧値そのものではない。
【００２９】
図５に示すように、この補正テーブル４３には、温度差に応じて出力すべき走査電圧制御信号Ｖｃ３の値が設定されている。走査電圧制御信号Ｖｃ３は、温度差が拡大するにつれて値が高くされており、信号線Ｘと電位差が大きくなるため輝度が高くなる。
すなわち、この補正テーブル４３は、フェースプレートＦＰとリアプレートＲＰとの温度差に応じてバッファアンプ３２を介して第１走査線Ｙ５，Ｙ６，Ｙ１０，Ｙ１１等へ供給する走査線信号を可変するための補正情報を記憶した温度差補正情報記憶手段である。
【００３０】
マイコン４２は、温度差発生時に、この補正テーブル４３を参照して走査電圧制御信号Ｖｃ３を出力し、走査線ドライバ３０は、マイコン４２から入力された走査電圧制御信号Ｖｃ３に従って、複数の走査線Ｙ１〜Ｙｍのうち、スペーサＳＰに最も近い位置に配置された第１走査線群（Ｙ５，Ｙ６、Ｙ１０，Ｙ１１、…Ｙｍ−５，Ｙｍ−４）を駆動する。
つまり、マイコン４２は、走査線ドライバ３０に対して、温度差が拡大するにつれて、信号線Ｘに印加される駆動信号との電位差を大きくする方向に第１走査線群（Ｙ５，Ｙ６、Ｙ１０，Ｙ１１、…Ｙｍ−５，Ｙｍ−４）の走査線信号の値（負の電圧）を可変させるよう走査線ドライバ３０を制御することで、この部分の表示画素Ｐｘの輝度を高める。
【００３１】
一方、第２走査線群は、第１走査線群のすぐ隣に位置する走査線群（Ｙ４、Ｙ７、Ｙ９、Ｙｍ−３）と、スペーサＳＰから２つの走査線以上距離が離れた走査線群（Ｙ１〜Ｙ３、Ｙ８、Ｙｍ−２、Ｙｍ−１、Ｙｍ）とに区分される。
【００３２】
スペーサＳＰから２つの走査線以上距離が離れた走査線群（Ｙ１〜Ｙ３、Ｙ８、Ｙｍ−２、Ｙｍ−１、Ｙｍ）については、フェースプレートＦＰとリアプレートＲＰとの温度差の影響が及ばないため、輝度補正の必要はない。
一方、第２走査線群の中でも第１走査線群のすぐ隣に位置する走査線群（Ｙ４、Ｙ７、Ｙ９、Ｙｍ−３）は、スペーサＳＰの帯電の影響で他に比べて輝度が若干明るくなる場合もあり、これについては、別個に補正制御する必要がある。
【００３３】
そこで、上記図５に示した補正テーブル４３の変形例として、図６に示すように、走査電圧制御信号Ｖｃ３の他に、走査電圧制御信号Ｖｃ１、走査電圧制御信号Ｖｃ２の温度補正値を追加した補正テーブル４３ａを用いても良い。
この補正テーブル４３ａにおいて、走査電圧制御信号Ｖｃ２は、例えば「１．００」等の一定値であり、補正のための制御信号として出力しても輝度に変化はない。走査電圧制御信号Ｖｃ１は、走査電圧制御信号Ｖｃ２よりも低い値であり、数値が小さいほど信号線Ｘと電位差がなくなるため輝度が低くなる。
【００３４】
この場合、マイコン４２は、温度差発生時に、補正テーブル４３ａを参照して走査電圧制御信号Ｖｃ１、Ｖｃ２、Ｖｃ３を出力する。
走査線ドライバ３０は、マイコン４２から入力された走査電圧制御信号Ｖｃ２に従って、スペーサＳＰから走査線２つを隔てて距離が離れた走査線群（Ｙ１〜Ｙ３、Ｙ８、Ｙｍ−２、Ｙｍ−１、Ｙｍ）を駆動するが、すべて元と同じ電圧であるため該当表示画素Ｐｘについては変化はない。
【００３５】
走査線ドライバ３０は、マイコン４２から入力された走査電圧制御信号Ｖｃ１に従って、第１走査線群のすぐ隣に位置する走査線群（Ｙ４、Ｙ７、Ｙ９、Ｙｍ−３）を駆動するので、該当表示画素Ｐｘの輝度は若干低くなる。
【００３６】
走査線ドライバ３０は、マイコン４２から入力された走査電圧制御信号Ｖｃ３に従って、第１走査線群（Ｙ４、Ｙ７、Ｙ９、Ｙｍ−３）を駆動するので、該当表示画素Ｐｘの輝度が高くなる。
【００３７】
すなわち、走査線ドライバ３０は、マイコン４２から走査電圧制御端子Ｖｙｏｎを通じて入力される走査電圧制御信号Ｖｃ１〜Ｖｃ３を用いてそれぞれの走査線Ｙ１〜Ｙｍを順次駆動する。信号線ドライバ２０は走査線Ｙ１〜Ｙｍの各々が走査線ドライバ３０によって駆動される間に電圧パルス方式の信号線駆動信号により信号線Ｘ１〜Ｘｎを駆動する。
このように走査線ドライバ３０から走査線Ｙ１〜Ｙｍへ負（−）の電圧を供給し、信号線ドライバ２０からは、信号線Ｘ１〜Ｘｎへ正（＋）の電圧を供給することで、互いの電位差によって表示パネル１０を表示させる。
【００３８】
なお、フェースプレートＦＰとリアプレートＲＰとの温度差が極めて小さいうちは、表示画素Ｐｘに輝度むらが生じないことがある。つまり、表示パネル１０のスペーサＳＰ配置部分に輝度むらが生じる際には、ある程度の許容範囲が存在する（図４参照）。
そこで、マイコン４２は、フェースプレートＦＰとリアプレートＲＰとの温度差が、予め設定された許容範囲を超えた場合に、第１走査線群（Ｙ５，Ｙ６、Ｙ１０，Ｙ１１、…Ｙｍ−５，Ｙｍ−４）へ供給する走査線信号の値（電圧）を可変するよう走査線ドライバ３０を制御する。具体的に許容範囲を設定するということは、例えば図５の補正テーブル４３の例では、基準値から例えば±１０Ｃ°の範囲の走査電圧制御信号Ｖｃ３の値を「−１．００」に設定しておくことである。
【００３９】
フェースプレートＦＰとリアプレートＲＰとの温度差が生じたときのスペーサＳＰ近傍の輝度むら補正対策としては、上記のようにスペーサＳＰ近傍に配置された所定の走査線（第１走査線群Ｙ５，Ｙ６，Ｙ１０，Ｙ１１、第２走査線群の一部等）へ供給する走査線信号を可変するだけでなく、信号線Ｘ側についても補正制御を行っても良い。
この場合、タイミング発生回路６０からのタイミング信号に基づき、走査線Ｙの番号Ｙｉおよび表示色が赤（Ｒ）、緑（Ｇ）、及び青（Ｂ）いずれかに応じて、マイコン４２は、階調補正信号を出力する。
マイコン４２は、垂直同期信号から走査線Ｙの番号Ｙｉを、水平同期信号から表示色を判定し、上記補正テーブル４３に代えて階調補正テーブル４７を参照することで階調補正値を決定する。
【００４０】
図７は階調補正テーブル４７の内容の一例を表す模式図である。
同図に示すように、走査線Ｙの番号Ｙｉと、赤（Ｒ）、緑（Ｇ）、及び青（Ｂ）それぞれの階調補正値Ａｒ，Ａｇ，Ａｂとが対応して表されている。また、図８は、図７にテーブルとして表されたものをグラフで表したものである。横軸が走査線番号Ｙｉで、縦軸が赤（Ｒ）、緑（Ｇ）、及び青（Ｂ）それぞれの階調補正値Ａｒ，Ａｇ，Ａｂである。これら図７，図８には、図９に表される相対輝度ＲＬｒ、ＲＬｇ、ＲＬｂを補正するための階調補正値が表されている。
乗算器４４は、ＡＤ変換回路４１から出力される階調値に、マイコン４２から出力される階調補正値を乗算する。この乗算の結果、階調値が補正され、スペーサＳＰ近傍での赤（Ｒ）、緑（Ｇ）、及び青（Ｂ）それぞれの輝度の不均一が是正される。
【００４１】
変換部４５は、乗算器４４から出力される、ある階調値のデジタル信号を信号線駆動信号の電圧パルス方式に適合する値に変換する。この変換の際に、変換テーブル４６が参照される。
変換テーブル４６は、乗算器４４から出力される階調データの全階調値に割り当てられる１０２４個の１２ビット変換データを格納している。
【００４２】
具体的には、階調０〜２５６を０〜２５６に、階調２５７〜５１２を５１２〜７６９に、階調５１３〜７６８を１０２４〜１２８０に、階調７６９〜１０２４を１５３６〜１７９２に、それぞれ変換する。この変換結果は、上３ビット、下９ビットがそれぞれ、信号線駆動信号のパルス振幅（素子電圧Ｖ１〜Ｖ４）およびパルス幅（０〜２５６の時間長）に対応する。なお、信号線駆動信号については、後の図９で説明する。
【００４３】
信号線ドライバ２０は、ラインメモリ２１、２２、及び駆動信号生成部２３を含んでいる。
ラインメモリ２１は、各水平走査期間においてタイミング発生回路６０から供給されるクロックＣＫ１に同期して１水平ライン分の映像信号をサンプリングし、これら映像信号、すなわちｎ個の階調データを並列的に出力する。
ラインメモリ２２は全ての階調データがラインメモリ２１から出力された状態でタイミング発生回路６０から供給されるラッチパルスＤＬに応答してこれら階調データをラッチし、ラインメモリ２１が再びサンプリング動作する後続の１水平走査期間において階調データを保持する。
【００４４】
駆動信号生成部２３は、ラインメモリ２２から並列的に出力される階調データにそれぞれ対応するパルス振幅及びパルス幅を有するｎ個の電圧パルスを信号線駆動信号として発生して信号線Ｘ１〜Ｘｎに供給する。駆動信号生成部２３はカウンタ２４、ｎ個のパルス幅変調回路２５、及びｎ個の出力バッファアンプ２６を含む。
【００４５】
カウンタ２４は、１０ビットの構成であり、各水平走査期間の開始に伴ってタイミング発生回路６０から供給されるリセット信号ＲＳＴに応答して初期化される。そして、カウンタ２４は、このリセット信号ＲＳＴに続いてタイミング発生回路６０から供給されるクロックＣＫ２によってカウントアップされる。その後、カウンタ２４は各水平走査期間のうちの有効映像期間を１０２４段階の時間長で表す１０ビットのカウントデータを出力する。
【００４６】
各パルス幅変調回路２５は、例えばコンパレータ等であり、ラインメモリ２２から供給される対応階調データと、カウンタ２４から供給されるカウントデータとを比較し、カウントデータが階調データに到達するまでの期間に等しいパルス幅の電圧パルスを出力する。
【００４７】
各出力バッファアンプ２６は、外部から供給される正の素子電圧Ｖ１，Ｖ２，Ｖ３，及びＶ４を対応パルス幅変調回路２５に供給される階調データの上位２ビットに基づいて選択し、出力する。このため、パルス幅変調回路２５からの電圧パルスが、これら素子電圧Ｖ１，Ｖ２，Ｖ３，及びＶ４のうちのいずれかに等しいパルス振幅に増幅される。このとき、このパルス幅変調回路２５からのパルス電圧のパルス幅に等しい期間だけ選択素子電圧が出力バッファアンプ２６から出力される。すなわち、出力バッファアンプ２６は、階調データの階調値に依存したパルス振幅及びパルス幅を有する信号線駆動信号を出力する。
【００４８】
図９は信号線駆動信号の信号波形の一例を表すグラフである。
信号線駆動信号は、映像信号の大きさに応じて４個の領域（Ａ）乃至（Ｄ）に区分され、領域ごとに異なる振幅値Ｖ１乃至Ｖ４を有する。駆動信号の振幅値Ｖ１乃至Ｖ４を各領域で段階的に大きくしていき、更に、各領域において、映像信号の値に対応させてパルス幅を可変することで、きめ細かな階調表現を可能としている。
【００４９】
図９の（Ａ）に示すように、階調値が０〜２５６の場合、信号線駆動信号は、パルス振幅が素子電圧Ｖ１でパルス幅が０〜２５６の時間長のパルスとなる。
図９の（Ｂ）に示すように、階調値が２５７〜５１２の場合、信号線駆動信号は、パルス振幅が素子電圧Ｖ２でパルス幅が０〜２５６の時間長のパルスと、パルス振幅が素子電圧Ｖ１でパルス幅が残りの時間長のパルスとの組み合わせとなる。
図９の（Ｃ）に示すように、階調値が５１３〜７６８の場合、信号線駆動信号は、パルス振幅が素子電圧Ｖ３でパルス幅が０〜２５６の時間長のパルスと、パルス振幅が素子電圧Ｖ２でパルス幅が残りの時間長のパルスとの組み合わせとなる。
図９の（Ｄ）に示すように、階調値が７６９〜１０２４の場合、信号線駆動信号は、パルス振幅が素子電圧Ｖ４でパルス幅が０〜２５６の時間長のパルスと、パルス振幅が素子電圧Ｖ３でパルス幅が残りの時間長のパルスとの組み合わせとなる。
【００５０】
各電子放出素子１１では、信号線Ｘ及び走査線Ｙからなる電極間の電位差である素子電圧Ｖｆがスレッショルドを越えたときに放電が起き、これにより放出される電子ビームが蛍光体１２を励起する。各表示画素Ｐｘの輝度は、信号線駆動信号のパルス幅及びパルス振幅に依存して電子放出素子１１に流れる駆動電流によって制御される。
【００５１】
このようにこの実施形態の表示装置Ｄによれば、フェースプレートＦＰに設けた温度センサ１６とリアプレートＲＰに設けた温度センサ１７によりマイコン４２が互いの温度差を検出し、温度差に応じて走査線Ｙの走査線信号を制御するので、フェースプレートＦＰとリアプレートＲＰとの温度差の影響で表示パネル１０に所定間隔に配置されたスペーサＳＰ付近において表示画素Ｐｘの輝度が暗くなるという映像の劣化現象を防止することができる。
【００５２】
（その他の実施形態）
本発明の実施形態は上記の実施形態に限られず拡張、変更可能であり、拡張、変更した実施形態も本発明の技術的範囲に含まれる。
【００５３】
例えば上記実施形態では、フェースプレートＦＰとリアプレートＲＰとの温度差の影響で生じる表示パネル１０表面の輝度の劣化（映像品質の低下）を、スペーサＳＰ近傍の走査線へ供給する走査線信号の電圧補正（信号制御）を行ったが、この他、赤（Ｒ）、緑（Ｇ）、及び青（Ｂ）各色の信号線へ供給する信号線駆動信号の電圧補正（信号制御）を行ってもよい。
また、フェースプレートＦＰとリアプレートＲＰとの温度差自体をなくすための冷却手段（ペルチェ素子、ファン、ヒートシンク等）あるいは過熱手段（ヒーター等）をフェースプレートＦＰおよびリアプレートＲＰの少なくとも一方に設けても良い。
さらに、フェースプレートＦＰとリアプレートＲＰとをヒートパイプ等で連結して互いの熱を流通し温度調整を行っても良い。
【図面の簡単な説明】
【００５４】
【図１】本発明の一実施形態に係る表示装置を表す図。
【図２】図１の表示パネルを上面から見た状態を模式的に表す上面図。
【図３】図１の表示パネルを横方向から見た状態を表す側面図。
【図４】フェースプレートとリアプレートとの温度差と蛍光体に電子が当たる位置との相対関係を表す温度特性図。
【図５】補正テーブルの一例を示す図。
【図６】補正テーブルの他の例を示す図。
【図７】階調補正テーブルの内容の一例を表す模式図。
【図８】図８に階調補正テーブルとして表されたものを示す図。
【図９】信号線駆動信号の信号波形の一例を示す図。
【符号の説明】
【００５５】
Ｄ…表示装置、１０…表示パネル、１１…電子放出素子（電子源）、１２…蛍光体、１６、１７…温度センサ、２０…信号線ドライバ、２１…ラインメモリ、２２…ラインメモリ、２３…駆動信号生成部、２４…カウンタ、２５…パルス幅変調回路、２６…出力バッファアンプ、３０…走査線ドライバ、３１…シフトレジスタ、３２…出力バッファアンプ、４０…映像信号処理回路、４１…ＡＤ変換回路、４２…マイコン、４３，４３ａ…補正テーブル、４４…乗算器、４５…変換部、４６…変換テーブル、４７…階調補正テーブル、５０…入力回路、６０…タイミング発生回路、ＦＰ…フェースプレート、ＲＰ…リアプレート、Ｗ…    側、ＳＰ…スペーサ、Ｐｘ…表示画素、Ｘ（Ｘ１-Ｘｎ）…信号線、Ｙ（Ｙ１-Ｙｍ）…走査線。
【図１】
2006106144.tif 000003
【図２】
2006106144.tif 000004
【図３】
2006106144.tif 000005
【図４】
2006106144.tif 000006
【図５】
2006106144.tif 000007
【図６】
2006106144.tif 000008
【図７】
2006106144.tif 000009
【図８】
2006106144.tif 000010
【図９】
2006106144.tif 000011